(57)【要約】【課題】  ネクタイやタオルなどのような被装着物が、ハンガー本体から滑り落ちることなく確実に保持される構造のハンガーを提供する。【解決手段】  壁面等との間に適当な間隔を設けて、該壁面等に沿って配置されるハンガー本体と、該ハンガー本体を回動可能に支持する支持部材とを備え、前記ハンガー本体には、その長手方向に沿って、弾性変形可能なブレード部が備えられ、ハンガー本体の任意の回動位置において、前記ブレード部の先端が前記壁面等に当接するように構成した。被装着物はブレード部と壁面等との間に挟まれることによってハンガー本体に確実に保持されるため、ハンガーからの滑り落ちが適切に防止される。【選択図】      図７
2005342506.tif 000002
【特許請求の範囲】
【請求項１】
壁面又は任意の部材面との間に適当な間隔を設けて、該壁面又は任意の部材面に沿って配置されるハンガー本体と、該ハンガー本体を回動可能に支持する支持部材とを備えたハンガーであって、
前記ハンガー本体には、その長手方向に沿って、弾性変形可能なブレード部が備えられ、ハンガー本体の任意の回動位置において、前記ブレード部の先端が前記壁面又は任意の部材面に当接するように構成したことを特徴とするハンガー。
【請求項２】
ブレード部がゴム又は／及びプラスチックからなることを特徴とする請求項１に記載のハンガー。
【請求項３】
ハンガー本体が、支持部材により回動可能に支持されるブレード保持体と、該ブレード保持体の長手方向に沿って設けられるブレード体とを備え、
前記ブレード体が弾性変形可能なゴム又は／及びプラスチックからなることを特徴とする請求項１又は２に記載のハンガー。
【請求項４】
ハンガー本体が、基端部側を支持部材により回動可能に支持された、弾性変形可能なゴム又は／及びプラスチックからなる部材であることを特徴とする請求項１又は２に記載のハンガー。
【請求項５】
ハンガー本体の反壁面又は任意の部材面側への回動可能範囲を規制するストッパー機構を有することを特徴とする請求項１〜４のいずれかに記載のハンガー。
【請求項６】
ハンガー本体を壁面又は任意の部材面側への回動方向に対して付勢する付勢手段を有することを特徴とする請求項１〜５のいずれかに記載のハンガー。
【発明の詳細な説明】
【技術分野】
【０００１】
本発明は、ネクタイ、ベルト、タオルなどを掛けるためのハンガーに関する。
【背景技術】
【０００２】
一般に、洋服ダンスやクローゼットなどには、ネクタイやベルトを保管するためのハンガーが備え付けられている。また、洗面所などでは、タオルなどを掛けるためのハンガー（タオル掛け）が備え付けられている。これらの据え付け型のハンガーの多くは、金属管やプラスチック管などからなるハンガー本体の両端を、支持部材で壁面（例えば、洋服ダンスの内壁面・扉内側面や洗面所の壁面）などに固定した構造を有している。
【０００３】
しかし、このような従来のハンガーでは、ハンガー本体に引っ掛けるネクタイやタオル長手方向の位置を正しく選ばないと、ネクタイやタオルがハンガー本体から滑り落ちてしまうという難点がある。
このような問題に対して、特許文献１にはハンガー本体（管体）の外面に滑り止め部材を設けたハンガー（タオル掛け）が提案されている。
【０００４】
【特許文献１】実開平７−３０８８５号公報
【発明の開示】
【発明が解決しようとする課題】
【０００５】
しかし、特許文献１のような滑り止め部材の効果には限度があり、この場合も、ハンガー本体に引っ掛けるネクタイやタオル長手方向位置が適切でないと、ハンガー本体から簡単に滑り落ちてしまう。
したがって本発明の目的は、ネクタイやタオルなどのような被装着物が、ハンガー本体から滑り落ちることなく確実に保持される構造のハンガーを提供することにある。
【課題を解決するための手段】
【０００６】
上記課題を解決するための本発明のハンガーは、以下のような特徴を有する。
（1）壁面又は任意の部材面との間に適当な間隔を設けて、該壁面又は任意の部材面に沿って配置されるハンガー本体と、該ハンガー本体を回動可能に支持する支持部材とを備えたハンガーであって、前記ハンガー本体には、その長手方向に沿って、弾性変形可能なブレード部が備えられ、ハンガー本体の任意の回動位置において、前記ブレード部の先端が前記壁面又は任意の部材面に当接するように構成したことを特徴とするハンガー。
（2）上記（1）のハンガーにおいて、ブレード部がゴム又は／及びプラスチックからなることを特徴とするハンガー。
【０００７】
（3）上記（1）又は（2）のハンガーにおいて、ハンガー本体が、支持部材により回動可能に支持されるブレード保持体と、該ブレード保持体の長手方向に沿って設けられるブレード体とを備え、前記ブレード体が弾性変形可能なゴム又は／及びプラスチックからなることを特徴とするハンガー。
（4）上記（1）又は（2）のハンガーにおいて、ハンガー本体が、基端部側を支持部材により回動可能に支持された、弾性変形可能なゴム又は／及びプラスチックからなる部材であることを特徴とするハンガー。
（5）上記（1）〜（4）のいずれかのハンガーにおいて、ハンガー本体の反壁面又は任意の部材面側への回動可能範囲を規制するストッパー機構を有することを特徴とするハンガー。
（6）上記（1）〜（5）のいずれかのハンガーにおいて、ハンガー本体を壁面又は任意の部材面側への回動方向に対して付勢する付勢手段を有することを特徴とするハンガー。
【発明の効果】
【０００８】
本発明のハンガーによれば、被装着物（例えば、ネクタイ、ベルト、タオルなど）をその長手方向のどの位置でハンガー本体に引っ掛けた場合でも、被装着物が弾性変形可能なブレード部と壁面又は任意の部材面との間に挟まれることによってハンガー本体に確実に保持されるため、被装着物のハンガーからの滑り落ちを適切に防止することができる。
【発明を実施するための最良の形態】
【０００９】
本発明のハンガーは、壁面又は任意の部材面との間に適当な間隔を設けて、その壁面又は任意の部材面に沿って配置されるハンガー本体と、このハンガー本体を回動可能に支持する支持部材とを備えている。前記ハンガー本体には、その長手方向に沿って、弾性変形可能なブレード部が備えられ、ハンガー本体の任意の回動位置において、前記ブレード部の先端が前記壁面又は任意の部材面に当接するように構成される。そして、ハンガー本体に引っ掛けられたネクタイなどの被装着物は、弾性変形可能なブレード部と壁面又は任意の部材面との間に挟まれることにより、ハンガー本体に確実に保持される。
【００１０】
図１〜図７は、本発明のハンガーの一実施形態を示すもので、図１はハンガー本体を支持する支持部材の一部を省略した状態で示す斜視図、図２は縦断面図、図３はハンガー本体の縦断面図である。図４は支持部材の一部を構成する軸受け部材を示すもので、（ａ）は平面図、（ｂ）は正面図、（ｃ）は側面図である。図５は、軸受け部材とハンガー本体の組付け前の状態を示す斜視図である。図６は、ハンガー本体を図２の状態から壁面側に回動させた状態を示す縦断面図、図７は、ハンガー本体にネクタイ等を引っ掛けた使用状態を示す縦断面図である。
【００１１】
図において、１は軸体状のブレード保持体３とこのブレード保持体３に設けられるブレード体４とを備えたハンガー本体、２はこのハンガー本体１（ブレード保持体３）を支持する支持部材、Ａは壁面（例えば、洋服ダンスやクローゼットの内壁面や扉内側面、洗面所の壁面など）である。
前記ブレード保持体３は、適度な剛性を有するものであれば、その構成及び材質は任意であるが、本実施形態では中空構造の軸体（管体）により構成されている。通常、ブレード保持体３は硬質プラスチックや金属（アルミニウム、ステンレスなど）などにより構成される。この中空構造のブレード保持体３の両端部周方向の一部には、ブレード保持体３の回動角度を規制するための切欠き部３１が形成されている。
なお、ブレード保持体３は実質的な中実構造のものでもよく、その場合には両端に適当な長さの管状部を設け、この管状部に前記切欠き部３１を設ける。
【００１２】
前記ブレード体４は、ゴム（天然ゴム、合成ゴム）又は／及び軟質プラスチックなどで構成された弾性変形可能な部材であり、ブレード保持体３の上部長手方向に沿って設けられることで、弾性変形可能なブレード部を構成する。ブレード体４とブレード保持体３との接合構造ないし接合方法は任意であるが、ブレード保持体３を硬質プラスチック製とした場合には、ブレード体４とブレード保持体３とを同時押し出し成形し、一体化されたハンガー本体１が得られるので有利である。また、ブレード体４とブレード保持体３は接着法、機械的な組付け法、両者を併用した方法など、任意な方法により接合させることもできる。
以上のハンガー本体１は、壁面Ａとの間に適当な間隔を設けて、壁面Ａに沿って配置され、支持部材２に回動可能に支持される。また、前記ブレード体４（ブレード部）の先端は、壁面Ａ方向に回動したハンガー本体１の任意の回動位置において壁面Ａに当接する。
【００１３】
前記支持部材２は、ブレード保持体３の両端に装着される１対の軸受け部材５と、これら軸受け部材５を壁面などに対して各々支持するブラケット６とを備えている。
前記各軸受け部材５は、本体部５０と、この本体部５０に連設され、ブレード保持体３（管体）の両端に回転可能に嵌挿される短軸部５１と、この短軸部５１の外周面の一部に突設されるストッパー部５２とからなっている。
前記ブラケット６は、本体部５０を介して軸受け部材５を保持し、その基端部が壁面Ａに固定される。ブラケット６と軸受け部材５の本体部５０との接合構造は任意であり、例えば、ブラケット６の先端にケーシング状の取付部を設け、この取付部に本体部５０を嵌め込むことにより、両者を接合させるようにしてもよい。
【００１４】
前記支持部材２は、図５に示されるように、各軸受け部材５の短軸部５１をブレード保持体３（管体）の両端に回転可能に嵌挿することにより、ハンガー本体１に取り付けられる。この際、ストッパー部５２がブレード保持体３の両端の切欠き部３１内に位置し、ストッパー部５２と切欠き部３１の反壁面側の縁部とにより、ハンガー本体１の反壁面Ａ側への回動可能範囲を規制するストッパー機構が構成される。
この実施形態では、上記ストッパー機構により、ブレード体４が垂直位置から反壁面Ａ側に適当な角度θだけ傾いた（回動した）状態で、ハンガー本体１が係止されるようにしている。この係止状態でハンガー本体１に被装着物を装着することができる。上記角度θは特に限定されないが、通常、１０〜６０°程度とすることが好ましい。
【００１５】
本発明のハンガーは、ハンガー本体１を室内や洋服ダンスなどの壁面Ａだけでなく、任意の部材面に沿って配置し、ハンガー本体１の任意の回動位置において、ブレード部の先端がその部材面に当接するように構成することができる。図８は、その一実施形態を示す縦断面図であり、壁面に梁状の部材１４を固定し、この部材面Ａ′にブレード部（ブレード体４）が当接するようにしたものである。なお、この部材１４は、図８に示すような梁状の部材に限定されない。
なお、その他の構成は図１〜図７の実施形態と同様であるので、同一の符号を付し、詳細な説明は省略する。
【００１６】
図９及び図１０は、本発明のハンガーの他の実施形態を示すもので、図９はハンガー本体を支持する支持部材の一部を省略した状態で示す斜視図（壁面Ａ側から見た斜視図）、図１０は縦断面図である。
この実施形態は、ストッパー機構として、ブレード保持体３の長手方向両端位置にブレード体４とは反対側方向に延出する脚状のストッパー部１５を設け、図１０に示すように、ハンガー本体１が反壁面Ａ側に適当な角度だけ傾いた（回動した）状態でストッパー部１５の先端が壁面Ａに当接することにより、ハンガー本体１が係止されようにしたものである。なお、両ストッパー部１５の基端側部分は補強用のリブ１５０で連結されている。
なお、その他の構成は図１〜図７の実施形態と同様であるので、同一の符号を付し、詳細な説明は省略する。
【００１７】
また、ストッパー機構としては、上記実施形態以外の種々の形態を採ることができ、例えば、(1)支持部材２に突片（ストッパー部）を設け、この突片にブレード体４を当接させることにより、ハンガー本体１の反壁面Ａ側での回動可能範囲を規制するようにしたもの、(2)支持部材２に突片（ストッパー部）を設けるとともに、ブレード保持体３には突起を設け、前記突片をブレード保持体３の前記突起に当接させることにより、ハンガー本体１の反壁面Ａ側での回動可能範囲を規制するようにしたもの、など適宜な構成のものを採用できる。
また、ストッパー機構としては、例えば、図１１に示すような公知の係止機構を利用したものであってもよい。このストッパー機構は、ブレード保持体３などの回転側に、外周面にノッチ７０が刻まれた係止リング７を固定するとともに、支持部材２側に、前記係止リング７のノッチ７０に係合する弾性変化可能な突片８（板バネ材などからなる突片）を設け、この突片８が係止リング７のノッチ７０に係合することにより、ハンガー本体１を任意の回動位置に係止できるようにしたものである。
【００１８】
図１２及び図１３は、本発明のハンガーの他の実施形態を示すもので、図１２は正面図、図１３は支持部材の一部を省略した状態で示す縦断面図である。
この実施形態では、支持部材２を軸体９とこの軸体９の両端を支持するブラケット６′により構成し、前記軸体８にハンガー本体１を構成するブレード保持体３（管状のブレード保持体）を回動可能に外挿したものである。
この実施形態では、ストッパー機構としてブラケット６′に突片１０を設け、突片１０が反壁面Ａ側に所定角度（先に述べた角度θ）回動したブレード体４に当接し、これを係止できるようにしている。
なお、その他の構成は図１〜図７の実施形態と同様であるので、同一の符号を付し、詳細な説明は省略する。
【００１９】
図１４及び図１５は、本発明のハンガーの他の実施形態を示すもので、図１４は支持部材の一部を省略した状態で示す斜視図、図１５は同じく縦断面図である。
この実施形態は、ハンガー本体１そのものを弾性変形可能なゴム又はプラスチック（若しくはゴムとプラスチックの複合材）で構成したものであり、ハンガー本体１の先端側部分がブレード部４ａを構成している。また、ハンガー本体１の基端部には軸孔１１が形成されている。
支持部材２は、軸体１２とこの軸体１２の両端を支持するブラケット（図示せず）で構成され、前記ハンガー本体１は、その軸孔１１を軸体１２に回動可能に外挿することにより、支持部材２に回動可能に支持されている。
この実施形態でも、ストッパー機構としてブラケットに突片１３を設け、この突片１３が反壁面Ａ側に所定角度（先に述べた角度θ）回動したハンガー本体１に当接し、これを係止できるようにしている。
【００２０】
また、本発明のハンガーでは、ハンガー本体１を壁面Ａ又は任意の部材面Ａ′側への回動方向に対して付勢する付勢手段を設けてもよい。この付勢手段としては、通常、コイルバネや板バネなどが用いられる。このような付勢手段を備えることにより、ハンガー本体１のブレード部の壁面Ａ等に対する押し付け力が高められ、被装着物の保持性をより高めることができる。例えば、図１〜図７の実施形態の場合には、軸受け部材５とブレード保持体３にそれぞれ係合するバネ材（コイルバネや板バネ）を設け、このバネ材により、ブレード保持体３を壁面Ａ側への回動方向に対して付勢するようにする。
【００２１】
図１６は、本発明のハンガーの他の実施形態を示すもので、支持部材の一部を省略した状態で示す斜視図である。
この実施形態は、ハンガー本体１の先端側部分にのみ弾性変形可能なゴム又はプラスチック（若しくはゴムとプラスチックの複合材）などで構成したブレード部４ｂを設け、ハンガー本体１の他の部分を剛性のある部材（例えば、硬質プラスチック又は金属など）で構成したものである。
なお、その他の構成は図１４及び図１５の実施形態と同様であるので、同一の符号を付し、詳細な説明は省略する。
また、以上述べた各実施形態では、ハンガー本体１は両持ち式（両端支持式）の支持部材２で支持されているが、ハンガー本体１をその一端側だけで支持する片持ち式の支持部材としてもよい。これにより、ハンガー本体１と壁面Ａ間のスペースに対して、ハンガー本体１の他端側からネクタイ等を出し入れすることができる。
【００２２】
次に、本発明のハンガーの使用方法を、図１〜図７に示す実施形態のものを例に説明すると、ハンガー本体１を図１及び図２に示すように反壁面Ａ側に回動させた状態で、ネクタイ等の被装着物Ｂをハンガー本体１に引っ掛け、しかる後、ハンガー本体１を壁面Ａ側に回動させて図７の状態とする。これにより、ブレード部（ブレード体４）の先端側部分が弾性変形した状態で、ブレード部の先端と壁面Ａとの間に被装着物Ｂが挟み込まれ、被装着物Ｂをその長手方向のどの位置でハンガー本体１に引っ掛けた場合でも、被装着物Ｂがハンガー本体１に確実に保持される。
【００２３】
本発明のハンガーは、固定側となる壁面Ａ又は任意の部材面Ａ′を有する任意の場所に設置することができる。例えば、洋服ダンスやクローゼットの内部、洗面所などの室内、小売店の売り場などが挙げられるが、これらに限定されるものではない。
また、使用対象とする被装着物Ｂにも特別な制限はなく、例えば、ネクタイ、マフラー、スカーフ、ベルト、タオルなど、種々のものを対象とすることができる。
【図面の簡単な説明】
【００２４】
【図１】本発明のハンガーの一実施形態を示すもので、ハンガー本体を支持する支持部材の一部を省略した状態で示す斜視図
【図２】図１に示す実施形態のハンガーの縦断面図
【図３】図１に示す実施形態のハンガーを構成するハンガー本体の縦断面図
【図４】図１に示す実施形態のハンガーを構成する軸受け部材を示すもので、（ａ）は平面図、（ｂ）は正面図、（ｃ）は側面図
【図５】図１に示す実施形態のハンガーを構成する軸受け部材とハンガー本体の組付け前の状態を示す斜視図
【図６】図１に示す実施形態のハンガーにおいて、ハンガー本体を図２の状態から壁面側に回動させた状態を示す縦断面図
【図７】図１に示す実施形態のハンガーにおいて、ハンガー本体にネクタイ等を引っ掛けた使用状態を示す縦断面図
【図８】本発明のハンガーの他の実施形態を示すもので、ハンガー本体を壁面側に回動させた状態を示す縦断面図
【図９】本発明のハンガーの他の実施形態を示すもので、ハンガー本体を支持する支持部材の一部を省略した状態で示す斜視図
【図１０】図９に示す実施形態のハンガーの縦断面図
【図１１】本発明のハンガーにおいて、ストッパー機構の他の実施形態を示す説明図
【図１２】本発明のハンガーの他の実施形態を示す正面図
【図１３】図１２に示す実施形態のハンガーを、支持部材の一部を省略した状態で示す縦断面図
【図１４】本発明のハンガーの他の実施形態において、支持部材の一部を省略した状態で示す斜視図
【図１５】図１４に示す実施形態のハンガーにおいて、支持部材の一部を省略した状態で示す縦断面図
【図１６】本発明のハンガーの他の実施形態を示すもので、支持部材の一部を省略した状態で示す斜視図
【符号の説明】
【００２５】
１    ハンガー本体
２    支持部材
３    ブレード保持体
４    ブレード体
４ａ，４ｂ  ブレード部
５    軸受け部材
６    ブラケット
６′  ブラケット
７    係止リング
８    突片
９    軸体
１０  突片
１１  軸孔
１２  軸体
１３  突片
１４  部材
１５  ストッパー部
３１  切欠き部
５０  本体部
５１  短軸部
５２  ストッパー部
７０  ノッチ
Ａ    壁面
Ａ′  部材面
【図１】
2005342506.tif 000003
【図２】
2005342506.tif 000004
【図３】
2005342506.tif 000005
【図４】
2005342506.tif 000006
【図５】
2005342506.tif 000007
【図６】
2005342506.tif 000008
【図７】
2005342506.tif 000009
【図８】
2005342506.tif 000010
【図９】
2005342506.tif 000011
【図１０】
2005342506.tif 000012
【図１１】
2005342506.tif 000013
【図１２】
2005342506.tif 000014
【図１３】
2005342506.tif 000015
【図１４】
2005342506.tif 000016
【図１５】
2005342506.tif 000017
【図１６】
2005342506.tif 000018